(57)【要約】      （修正有）【課題】バーニヤ目盛りの付いた副尺を応用することで１ｍｍ未満の正確な寸法測定を行う。【解決手段】巻尺ケース体１のテープ出入口部分にバーニヤ目盛りを入れた副尺体５を接続係止させ、テープ２を介して巻尺ケース体と合体させ、一体化にして収納し、保管、携帯に支障ないようにする。そして、副尺体の一方に測定時に接触させる突出部材を取り付けて内のり測定用の内寸測定用治具１５を構成し、これらを巻尺ケース体の収納部１６に収納させ、収納部から出し入れ着脱手段として用いる。それに、巻尺ケース体及び内寸測定用治具の総長さ寸法を１００ｍｍに規準設定して製作し、組み込んで内寸測定時、加算しやすい数値にすることによってバーニヤ目盛り付き副尺で正確に読み取ることができるようにする。【選択図】図４
2010066269.tif 000002
【特許請求の範囲】
【請求項１】
巻尺ケース体の本尺テープにバーニヤ目盛り付きである副尺体をスライド自在に装着し、前記巻尺ケース体の本尺テープのテープ出入口部に前記副尺体を接続係止させて収納すると共に、前記巻尺ケース体と合体構造として、前記副尺体を前記巻尺ケース体から着脱手段とすることを特徴とする副尺付き巻尺。
【請求項２】
副尺体と合体した巻尺ケース体の総長さＬ寸法を１００ｍｍに規準設定して製作し、巻尺ケース体に１００ｍｍの数値を表示して組み込むことを特徴とした請求項１記載の副尺付き巻尺。
【請求項３】
副尺体の一方に測定時に接触する突出部材を取り付けて一体化による内寸測定用治具を構成し、前記内寸測定用治具を巻尺ケース体に設けた収納部に収納すると共に、前記内寸測定用治具を前記巻尺ケース体の収納部から出し入れ着脱手段とすることを特徴とする請求項１記載の副尺付き巻尺。
【請求項４】
内寸測定用治具の総長さｌ寸法を１００ｍｍに規準設定して製作すると共に、前記内寸測定用治具を巻尺ケース体の収納部に装着した時の巻尺ケース体の総長さＬ寸法においても１００ｍｍに規準設定して製作し、前記巻尺ケース体に１００ｍｍの数値を表示して組み込むことを特徴とした請求項３記載の副尺付き巻尺。
【発明の詳細な説明】
【技術分野】
【０００１】  本発明は、バーニヤ目盛りが入った副尺付き巻尺に関する。
【背景技術】
【０００２】  従来の副尺付き巻尺には、巻尺テープの上面にノギス治具状を装着したものがある。
（例えば、特許文献１参照）
また、巻尺テープの上面に副尺を摺動自在に取り付けたものがある。
（例えば、特許文献２参照）
更に、巻尺テープの上面に本尺目盛りを１／２に縮小した副尺を摺動自在に取り付けるものがある。
（例えば、特許文献３参照）
それに、巻尺ケースに透視窓を付けてこれらに副尺を設けたものがある。
（例えば、特許文献４参照）
そして、巻尺ケースの前後にそれぞれ副尺板を取り付けたものがある。
（例えば、特許文献５参照）
次に、副尺が付いていないもので、巻尺ケースの全体の長さを１００ｍｍに定め、内寸測定時、引き出したテープの長さにその１００ｍｍを加算するものがあった。
（例えば、特許文献６参照）
またこれらも副尺が付いていないもので内径測定用治具があった。
（例えば、特許文献７参照）
それに、これらも副尺が付いていないもので内寸測定用治具付き巻尺があった。
（例えば、特許文献８参照）
【先行技術文献】
【特許文献】
【０００３】
【特許文献１】  登録実用新案公報  第３０６２６４３号公報
【特許文献２】  公開実用新案公報  実開昭５１−９０９６６号公報
【特許文献３】  公開実用新案公報  昭５８−１７８６０３号公報
【特許文献４】  公開実用新案公報  実開平５−５０３０２号公報
【特許文献５】  公開実用新案公報  昭５４−１８０７６０号公報
【特許文献６】  登録実用新案公報  第３０３４８２２号公報
【特許文献７】  公開実用新案公報  平４−８５２０２号公報
【特許文献８】  公開特許公報  特開２００９−１６２７６４号公報
【発明の概要】
【発明が解決しようとする課題】
【０００４】  以上に述べた従来の巻尺を上記の文献にそって下記の通り説明する。【０００５】  特許文献１は、巻尺テープ１の上面にノギス状の治具を装着して両端に突出した当て金４と当て金５とで外寸専用の長さ計を測定するもので、当て金４と当て金５とで長尺物をはさんだ場合、巻尺テープがたるんで副尺で正確に測定することができなかった。
それに、ノギス治具がバラバラで、収納や保管などに支障があり携帯にも不便であった。【０００６】  特許文献２は、巻尺２のテープ上面に副尺３を摺動自在にして測定物体に接するための直立板５，５１を突設させて測定するものであって、これらも直立板５，５１とで測定物をはさんだ場合、巻尺テープがたるんで副尺で正確に測定することができないという問題点があった。
また、明細書に副尺３はケース１の中に納入することができると記しているのみでわからず、説明が不明瞭でありこれらにおいても収納や保管、携帯に問題点があった。【０００７】  特許文献３は、バーニヤ目盛りを必要としない副尺で、これらの副尺には本尺の目盛りを１／２に縮小した目盛りを有する副尺であって測定物が穴や柱等の中心位置までの寸法を直読みするための副尺であるからこれらの副尺にバーニヤ目盛りを設けて本発明と比較しても目的、用途の相違がある。【０００８】  特許文献４は、副尺を用いて長さ計の測定は可能であるがこれらの構成による副尺付き巻尺で内寸測定時に用いた場合、測定物体が直角入隅時、鋼製巻尺テープは、鋭角的に折り曲げることができないため読み取り誤差が生じるという問題点があるので、このような状態では副尺を活用することができない。【０００９】  特許文献５は、使用目的として、巻尺本体４の両端に副尺板１及び副尺板２を設けて建具等の内のり寸法を測定するときに建具溝に副尺板１を挿入して読み取る位置３によって寸法を測定するものであるから副尺板１，２にはバーニヤ目盛りが必要とせずこれらにおいても本発明とは使用目的や用途の相違がある。
また、上記の特許文献１〜４においては、主として外寸測定用に用いるもので、内寸測定用には不向きであった。【００１０】  特許文献６は、これらの巻尺には副尺が付いておらず内寸測定時において、巻尺ケース２の総体Ｌ寸法を１００ｍｍに形成してテープ１の引き出し長さとＬ寸法の１００ｍｍを加算して測定する方法のものである。
これらの巻尺では、副尺が付いていないため１ｍｍ以下の数値がこまめに読み取ることができない問題点があった。【００１１】  特許文献７は、内径測定治具として大口径管、タンクなどの内径寸法を測定するのに用いられるものである。また、特許文献８は、内寸測定用治具付き巻尺として利用するものであるがこれらにもバーニヤ目盛りが入った副尺が付いていないため問題点があった。【００１２】  本発明は、このような従来の構成が有していた問題点を解決しようとするもので、バーニヤ目盛りの入った副尺を巻尺テープに装着して外のりの外寸及び内のりの内寸測定時、１ｍｍ未満の正確な寸法測定が容易に行い、そして副尺を収納や保管、携帯に支障をなくすことを目的とするものである。
【課題を解決するための手段】
【００１３】  本発明は、上記の目的を達成するために測定器のノギスで用いられているバーニヤ目盛りの付いた副尺を応用することで１ｍｍ未満の正確な寸法測定を行うことである。
手段としては、巻尺ケース体から引き出された主目盛りの入った本尺テープにバーニヤ目盛りの付いた副尺体を装着してテープの上面をスライド自在に位置移動可能な構造手段とする。
そして、その副尺体を巻尺ケース体の本尺テープの出入り口部分に接続係止させて収納すると共に、巻尺ケース体と合体構造手段として、合体された副尺体は巻尺ケース体から着脱手段とする。【００１４】  また、副尺体の一方に測定時に接触する突出部材を取り付けて一体化による内寸測定用治具を構成し、それらの内寸測定用治具を巻尺ケース体に設けた収納部に収納すると共に、副尺体と一体化の内寸測定用治具を巻尺ケース体の収納部から出し入れして着脱手段とする。【００１５】  内寸測定用治具の突出部材は、突出部材の先端である末端部の接触端部面を測定物体にあてて測定を行うためのものである。【００１６】  これらの内寸測定方法として、一体化の内寸測定用治具の総長さｌ寸法を１００ｍｍに加算しやすい数値に規準設定して製作し、内寸測定時、引き出された本尺テープの総長さＬ´の数値をバーニヤ目盛りの付いた副尺体で読み取りその数値に内寸測定用治具の総長さｌ寸法の１００ｍｍを加算することによって全体の長さ計が副尺体で測定できる手段とする。（図面第６図参照）【００１７】  更にその他の内寸測定方法として、内寸測定用治具を巻尺ケース体に収納した状態で測定する方法であるが、これらは、巻尺ケース体の総長さＬ寸法も１００ｍｍとして組み込み、これらの状態によって引き出された本尺テープの総長さＬ´の数値をバーニヤ目盛りの付いた副尺体で読み取り、その数値に巻尺ケース体の総長さＬ寸法１００ｍｍを加算することによって総長さ計の測定をおこなう方法である。（図面第４図参照）
上記の二通りによる内寸測定用治具付き巻尺の内寸測定方法は測定物体によって用途を選択すればよい。
【発明の効果】
【００１８】  上述したように本発明のバーニヤ目盛りを入れた副尺付き巻尺は外寸及び内寸測定の長さ計が高精度で正確に読み取ることができる。
また、収納や保管、携帯においても巻尺ケース体と一体化であるため非常に便利である。
そして、巻尺ケース体から内寸測定用治具も含む副尺体が着脱手段のため、測定用途によって自在に選択して用いることができる。
それに、巻尺ケース体の総長さＬ寸法及び内寸測定用治具の総長さｌ寸法をそれぞれ１００ｍｍに加算しやすい数値に規準設定して製作し組み込んで、巻尺ケース体等に１００ｍｍの数値を表示し使用状態を明らかにすることにより容易に測定ができるので便利である。
【図面の簡単な説明】
【００１９】
【図１】  本発明実施例１の実施形態を示す側面図
【図２】  同上のＡ−Ａ線拡大断面図
【図３】  本発明実施例１の実施形態を示す平面図
【図４】  本発明実施例２の実施形態を示す側面断面図
【図５】  同上のＡ−Ａ線拡大断面図
【図６】  本発明実施例３の実施形態を示す側面図
【発明を実施するための形態】
【００２０】  以下、本発明の実施形態を図１〜図６に基づいて説明する。
【００２１】  図１は、内寸測定時の実施例１による一部破断線で示した側面図であって、これらを説明すると、巻尺ケース体１の本尺テープ２が出入りするテープ出入口部３の部分に、装着口４を設けてその部分に副尺体５を挿入し接続係止して収納する。
その状態で巻尺ケース体１と合体させて一体化手段とする。
副尺体５内は本尺テープ２がスライド自在に引き出せるようにして装着し、引き出された本尺テープ２を一時的に固定させるための回動ロック６を副尺体５の底部に取り付け、更に、指かけ２３を前後及び四方に設け、指にフイットさせて副尺体５を着脱しやすくした。（図面第３図平面図、指かけ２３参照）
【００２２】  副尺体５を収納して合体された巻尺ケース体１の総長さＬ寸法を１００ｍｍとして加算しやすい数値に規準設定して組み込み、内寸測定時、巻尺ケース体１の後面部の接触端部７を測定物体８に接触させ、本尺テープ２を引き出して爪９を右側の測定物体８に接触させて、本尺テープ２の引き出した数値Ｌ´をバーニヤ目盛り入り副尺体５の末端部の読み取り端部１０で読み取り、その数値に巻尺ケース体１の総長さＬ寸法１００ｍｍを加算したのが全長の総長さ計の寸法である。
尚、測定時において、左右の測定物体８、８に接触させる接触端部７及び爪９はどちらから接触させても用を成す。
【００２３】  副尺体５の読み取り端部１０の面と同面にケガキする場合に用いるマーキング端部１１を設けてマーク付けしやすくする。
【００２４】  また、外のりによる外寸測定時において、二点鎖線で示した副尺体５を装着口４から取り外して本尺テープ２の上面をスライド自在に位置移動させて寸法測定ができるようにしている。
測定用途によって副尺体５を巻尺ケース体１から着脱手段として用いればよい。
【００２５】  図２は、図１のＡ−Ａ線拡大断面図であって、巻尺ケース体１のテープ出入口部３の部分に設けた装着口４にバーニヤ目盛り１２の入った副尺体５をスライド溝２０にそって本尺テープ２を挿入し装着して副尺体５を収納状態にしている。
そして、副尺体５のバーニヤ目盛り１２を記している面は本尺テープ２の目盛り線と合致しやすいように両端側を傾斜状に勾配を設けて形成している。
副尺体５には本尺テープ２がスライド自在に挿入され、底面に回転させてねじ込む回動ロック６を取り付け、ねじ込み軸１３で本尺テープ２の底面に接して本尺テープ２を一時的に固定させる。
【００２６】  図３は、図１の平面図でこれらについて説明すると、巻尺ケース体１のテープ出入口部３から本尺テープ２を引き出して左右の測定物体８，８に接触端部７と爪９を接触させている。
この状態で、本尺テープ２の引き出したＬ´寸法を副尺体５の読み取り端部１０及びバーニヤ目盛り１２で数値を読み取り、その数値に巻尺ケース体１の総長さＬ寸法１００ｍｍを加算することによって全体の総長さ計の測定ができることがわかる。
【００２７】  図４においては、内寸測定用治具を取り付けた内寸測定時の実施例２で、一部破断線で示した側面図である。
これらを説明すると、巻尺ケース体１の本尺テープ２が出入りするテープ出入口部３の部分に、装着口４を設けてその部分に副尺体５を挿入し接続係止させ巻尺ケース体１と合体させて一体化にする。
【００２８】  その場合の副尺体５には、一方側に内寸測定時に接触する突出部材１４を取り付け副尺体５と一体化にして内寸測定用治具１５を構成する。
また、副尺体５の底部に本尺テープ２を一時的に固定させるための回動ロック６と前後及び四方に指かけ２３を設けた。（図面第３図平面図、指かけ２３参照）
【００２９】  内寸測定用治具１５を収納する場合、巻尺ケース体１の底部に収納部１６を設けて突出部材１４を内蔵し収納すると共に、副尺体５の部分を装着口４に挿入し接続係止させ、巻尺ケース体１と合体させて一体化にする。
収納された内寸測定用治具１５及び副尺体５は収納部１６及び装着口４から出し入れして着脱手段としている。
巻尺ケース体１から取り出した場合の副尺体５及び突出部材１４は、本尺テープ２を介し、装着状態でスライド自在に位置移動可能にしている。
【００３０】  そして、内寸測定用治具１５を収納した状態の巻尺ケース体１の総長さＬ寸法を１００ｍｍに規準設定して組み込んでいる。
その場合の内寸測定用治具１５においても同様に突出部材接触端部１７から副尺体５の読み取り端部１０までの総長さｌ寸法も１００ｍｍに規準設定して製作する。
（図面６図、内寸測定用治具１５、ｌー１００ｍｍ参照）
【００３１】  これらの構造で内のりの内寸測定を行う場合、巻尺ケース体１の後面の同面に位置する接触端部７及び突出部材接触端部１７を測定物体８に接触させ、一方の本尺テープ２を右側の測定物体８に引き出して爪９を接触させ、引き出された本尺テープ２のＬ´寸法を読み取り端部１０及びバーニヤ目盛り付き副尺体５で読み取って数値を出し、その数値に巻尺ケース体１の総長さＬ寸法１００ｍｍを加算して総長さ計を測定する。
尚、図４による測定状態を平面から示した場合は、図３と同様な平面図となる。
また、上記の内寸測定方法の他に別の測定方法があり下記の図６で説明する。
【００３２】  図５は、図４のＡ−Ａ線拡大断面図であって、巻尺ケース体１のテープ出入口部３に設けた装着口４に副尺体５を挿入し装着している。
副尺体５には内寸測定用治具を構成する突出部材１４を取り付けて固定し、突出部材１４の上面に本尺テープ２をのせてスライド溝２０にそって挿入して、本尺テープ２又は副尺体５を取り出したときスライド自在に位置移動させることができるようにする。
【００３３】  副尺体５の底面に回動ロック６を取り付け、回転させてねじ込み軸１３で突出部材１４に設けた穴１９を貫通させ本尺テープ２の底面に接して固定させる。
突出部材１４の形状は、本尺テープ２と同様に半月アール状に形成すると合致しやすい。バーニヤ目盛り１２を入れる部分は実施例１と同様に両端部に傾斜状に勾配を設けて本尺テープ２の目盛りと合致しやすい形状にする。
【００３４】  図６は、実施例３による内寸測定用治具１５を用いた内寸測定方法を示すものでこれらに基づいて説明すると、本尺テープ２を引き伸ばしながら爪９を右側の測定物体８に接触させ、巻尺ケース体１の収納部１６及び装着口４から内寸測定用治具１５を取り出して、突出部材接触端部１７を測定物体８の斜面物体１８の面に接触させる。
【００３５】  左右の測定物体８，８にそれぞれ接触後、バーニヤ目盛り１２の入った副尺体５によってＬ´寸法の数値を読み取り、その数値に内寸測定用治具１５のｌ寸法１００ｍｍを加算して総長さ計を測定する。
【００３６】  この方法による内寸測定方法は、測定物体８が凹凸状や勾配のある斜面物体１８等に内寸測定用治具１５を用いると測定威力が発揮し正確に測定できるので便利である。
【００３７】  図４で示したように内寸測定用治具１５を巻尺ケース体１に収納した状態でも測定ができるようにしており、更に、図６で示したような巻尺ケース体１から内寸測定用治具１５を取り出して測定することができ、これら二通りの何れかを用途によって選択すればよい。
【００３８】  図１による巻尺ケース体１の装着口４に副尺体５を接続して副尺体５を着脱手段としているが、必ずしも着脱手段としなくとも良く、他の方法としてバーニヤ目盛り入り副尺体を巻尺ケース体１のテープ出入口部分に一体化構造による固定手段として用いても良く外寸及び内寸測定が可能である。
そして、巻尺ケース体１から本尺テープ２及び副尺体５を、用途によってこれらの何れかを引き出し、スライドさせれば用を成すものである。
【００３９】  また、巻尺ケース体１の総長さＬ寸法１００ｍｍ及び、内寸測定用治具１５の総長さｌ寸法１００ｍｍを製品に明記し表示することにより測定の使用実態がわかるようにする。
【００４０】    尚、副尺体５のバーニヤ目盛りの数値は、１／２０ｍｍ（０，０５ｍｍ）精度時、０〜１０の数値が明記されているが、図面で示す読み取り端部１０は、バーニヤ目盛りで示すと０の数値ラインである。
【符号の説明】
【００４１】  １    巻尺ケース体
２    本尺テープ
３    テープ出入口部
４    装着口
５    副尺体
６    回動ロック
７    接触端部
１０  読み取り端部
１１  マーキング端部
１２  バーニヤ目盛り
１４  突出部材
１５  内寸測定用治具
１６  収納部
１７  突出部材接触端部
２０  スライド溝
２３  指かけ
【図１】
2010066269.tif 000003
【図２】
2010066269.tif 000004
【図３】
2010066269.tif 000005
【図４】
2010066269.tif 000006
【図５】
2010066269.tif 000007
【図６】
2010066269.tif 000008
【手続補正書】
【提出日】平成21年11月7日(2009.11.7)
【手続補正１】
【補正対象書類名】明細書
【補正対象項目名】０００２
【補正方法】変更
【補正の内容】
【０００２】  従来の副尺付き巻尺には、巻尺テープの上面にノギス治具状を装着したものがある。
（例えば、特許文献１参照）
また、巻尺テープの上面に副尺を摺動自在に取り付けたものがある。
（例えば、特許文献２参照）
更に、巻尺のケース内に副尺を取り付けて収納し、その副尺を巻尺ケース外に一定寸法引き出せるようにしてノギスと同様の機能を持たせたものがある。
（例えば、特許文献３参照）
それに、巻尺ケースに透明窓を付けてこれらに副尺を設けたものがある。
（例えば、特許文献４参照）
そして、巻尺の前後にそれぞれ副尺板を取り付けたものがある。
（例えば、特許文献５参照）
次に、副尺が付いていないもので、巻尺ケースの全体の長さを１００ｍｍに定め、内寸測定時、引き出したテープの長さにその１００ｍｍを加算するものがあった。
（例えば、特許文献６参照）
またこれらも副尺が付いていないもので内径測定用治具があった。
（例えば、特許文献７参照）
それに、これらも副尺が付いていないもので、内寸測定用治具付き巻尺があった。
（例えば、特許文献８参照）
【手続補正２】
【補正対象書類名】明細書
【補正対象項目名】０００３
【補正方法】変更
【補正の内容】
【０００３】
【特許文献１】  登録実用新案公報  第３０６２６４３号公報
【特許文献２】  公開実用新案公報  実開昭５１−９０９６６号公報
【特許文献３】  公開実用新案公報  実開昭５１−２４１５１号公報
【特許文献４】  公開実用新案公報  実開平５−５０３０２号公報
【特許文献５】  公開実用新案公報  昭５４−１８０７６０号公報
【特許文献６】  登録実用新案公報  第３０３４８２２号公報
【特許文献７】  公開実用新案公報  平４−８５２０２号公報
【特許文献８】  公開特許公報  特開２００９−１６２７６４号公報
【手続補正３】
【補正対象書類名】明細書
【補正対象項目名】０００７
【補正方法】変更
【補正の内容】
【０００７】  特許文献３は、副尺４を内部の突縁４´が開口２の内側段部２´に突き当たるまで引き出し、ケース１の開口２より外部に一定の寸法に引き出すものであった。
そのため、副尺４はケース１から取り外してテープを間に介しながら利用するということができなかった。
それに、本尺３のテープ末端に測定ジョー６ａが突出しているため本来の巻尺の爪とは違い、ジョー６ａの頭部の突出末端部分に測定物体を当てての測定は不可能であって、元々、ジョー６ａとジョー６ｂとで測定物を挟んでノギス式の測定方法に用いるものであるから本来の巻尺の用途とは相違があった。